(57)【要約】【課題】ユーザが指定した視聴時間内に楽しめる、適切な長さのコンテンツ連続再生プランを提示できるプラン作成装置、プラン作成方法及びプラン作成プログラムを提供する。【解決手段】プラン作成装置１は、視聴開始時刻及び視聴終了時刻の指定を含むユーザコンテキストを受信するコンテキスト受信部１１と、放送コンテンツの放送時刻及びＶＯＤコンテンツの再生時間、並びに放送コンテンツ及びＶＯＤコンテンツを含む複数のコンテンツそれぞれのスコアを含むメタデータを取得するメタデータ取得部１２と、放送コンテンツの放送時刻の切れ目を境界にして、視聴時間を複数の時間枠に分割する視聴時間分割部１３と、複数の時間枠のそれぞれに対して複数のコンテンツのいずれかを割り当てた際に、スコア及び再生時間に基づく満足度の合計が上位所定数のコンテンツの組み合わせを出力するコンテンツ割当部１４と、を備える。【選択図】図１
2019053667.tif 000002
【特許請求の範囲】
【請求項１】
視聴開始時刻及び視聴終了時刻の指定を含むユーザコンテキストを受信するコンテキスト受信部と、
前記視聴開始時刻から前記視聴終了時刻までの間に視聴可能な放送コンテンツの放送時刻及びＶＯＤコンテンツの再生時間、並びに放送コンテンツ及びＶＯＤコンテンツを含む複数のコンテンツそれぞれのスコアを含むメタデータを取得するメタデータ取得部と、
前記放送コンテンツの放送時刻の切れ目を境界にして、前記視聴開始時刻から前記視聴終了時刻までの視聴時間を、複数の時間枠に分割する視聴時間分割部と、
前記複数の時間枠のそれぞれに対して前記複数のコンテンツのいずれかを割り当てた際に、前記スコア及び再生時間に基づく満足度の合計が上位所定数のコンテンツの組み合わせを出力するコンテンツ割当部と、を備えるプラン作成装置。
【請求項２】
前記コンテキスト受信部は、前記ユーザコンテキストとして、ユーザの嗜好情報を受信し、
前記メタデータ取得部は、前記嗜好情報に基づいて、前記スコアを算出する請求項１に記載のプラン作成装置。
【請求項３】
前記コンテキスト受信部は、前記ユーザコンテキストとして、ユーザのプレゼンス情報を受信し、
前記メタデータ取得部は、前記プレゼンス情報に基づいて、前記スコアを算出する請求項１又は請求項２に記載のプラン作成装置。
【請求項４】
前記コンテンツ割当部は、前記満足度を、割り当てたコンテンツの数で重み付けする請求項１から請求項３のいずれかに記載のプラン作成装置。
【請求項５】
視聴開始時刻及び視聴終了時刻の指定を含むユーザコンテキストを受信するコンテキスト受信ステップと、
前記視聴開始時刻から前記視聴終了時刻までの間に視聴可能な放送コンテンツの放送時刻及びＶＯＤコンテンツの再生時間、並びに放送コンテンツ及びＶＯＤコンテンツを含む複数のコンテンツそれぞれのスコアを含むメタデータを取得するメタデータ取得ステップと、
前記放送コンテンツの放送時刻の切れ目を境界にして、前記視聴開始時刻から前記視聴終了時刻までの視聴時間を、複数の時間枠に分割する視聴時間分割ステップと、
前記複数の時間枠のそれぞれに対して前記複数のコンテンツのいずれかを割り当てた際に、前記スコア及び再生時間に基づく満足度の合計が上位所定数のコンテンツの組み合わせを出力するコンテンツ割当ステップと、をコンピュータが実行するプラン作成方法。
【請求項６】
請求項１から請求項４のいずれかに記載のプラン作成装置としてコンピュータを機能させるためのプラン作成プログラム。
【発明の詳細な説明】
【技術分野】
【０００１】
本発明は、コンテンツの再生プランを作成するための装置、方法及びプログラムに関する。
【背景技術】
【０００２】
従来、放送又は通信を介して、様々なコンテンツを配信するサービスが提供されている。また、これらのコンテンツを視聴する手段として、スマートフォン又はタブレット端末等の携帯端末を利用できる環境が整っており、ユーザは、日々の隙間の時間に好みのコンテンツにアクセスできる。
このような状況において、例えば、特許文献１には、ユーザの趣向に合う音楽及び映像コンテンツを推薦するシステムが提案されている。
【先行技術文献】
【特許文献】
【０００３】
【特許文献１】特開２００３−１７３３５０号公報
【発明の概要】
【発明が解決しようとする課題】
【０００４】
しかしながら、放送でコンテンツを配信する際、限られた放送チャンネルで全てのユーザに満足してもらうことは難しかった。またＶＯＤ（Ｖｉｄｅｏ  Ｏｎ  Ｄｅｍａｎｄ）でコンテンツを配信する際、各々のユーザにとって面白く、かつ、ユーザの使える隙間の時間内で視聴できる、適切な長さのコンテンツを見付けることは難しかった。
【０００５】
本発明は、ユーザが指定した視聴時間内に楽しめる、適切な長さのコンテンツ連続再生プランを提示できるプラン作成装置、プラン作成方法及びプラン作成プログラムを提供することを目的とする。
【課題を解決するための手段】
【０００６】
本発明に係るプラン作成装置は、視聴開始時刻及び視聴終了時刻の指定を含むユーザコンテキストを受信するコンテキスト受信部と、前記視聴開始時刻から前記視聴終了時刻までの間に視聴可能な放送コンテンツの放送時刻及びＶＯＤコンテンツの再生時間、並びに放送コンテンツ及びＶＯＤコンテンツを含む複数のコンテンツそれぞれのスコアを含むメタデータを取得するメタデータ取得部と、前記放送コンテンツの放送時刻の切れ目を境界にして、前記視聴開始時刻から前記視聴終了時刻までの視聴時間を、複数の時間枠に分割する視聴時間分割部と、前記複数の時間枠のそれぞれに対して前記複数のコンテンツのいずれかを割り当てた際に、前記スコア及び再生時間に基づく満足度の合計が上位所定数のコンテンツの組み合わせを出力するコンテンツ割当部と、を備える。
【０００７】
前記コンテキスト受信部は、前記ユーザコンテキストとして、ユーザの嗜好情報を受信し、前記メタデータ取得部は、前記嗜好情報に基づいて、前記スコアを算出してもよい。
【０００８】
前記コンテキスト受信部は、前記ユーザコンテキストとして、ユーザのプレゼンス情報を受信し、前記メタデータ取得部は、前記プレゼンス情報に基づいて、前記スコアを算出してもよい。
【０００９】
前記コンテンツ割当部は、前記満足度を、割り当てたコンテンツの数で重み付けしてもよい。
【００１０】
本発明に係るプラン作成方法は、視聴開始時刻及び視聴終了時刻の指定を含むユーザコンテキストを受信するコンテキスト受信ステップと、前記視聴開始時刻から前記視聴終了時刻までの間に視聴可能な放送コンテンツの放送時刻及びＶＯＤコンテンツの再生時間、並びに放送コンテンツ及びＶＯＤコンテンツを含む複数のコンテンツそれぞれのスコアを含むメタデータを取得するメタデータ取得ステップと、前記放送コンテンツの放送時刻の切れ目を境界にして、前記視聴開始時刻から前記視聴終了時刻までの視聴時間を、複数の時間枠に分割する視聴時間分割ステップと、前記複数の時間枠のそれぞれに対して前記複数のコンテンツのいずれかを割り当てた際に、前記スコア及び再生時間に基づく満足度の合計が上位所定数のコンテンツの組み合わせを出力するコンテンツ割当ステップと、をコンピュータが実行する。
【００１１】
本発明に係るプラン作成プログラムは、前記プラン作成装置としてコンピュータを機能させるためのものである。
【発明の効果】
【００１２】
本発明によれば、ユーザが指定した視聴時間内に楽しめる、適切な長さのコンテンツ連続再生プランを提示できる。
【図面の簡単な説明】
【００１３】
【図１】実施形態に係るプラン作成装置を含むシステムの構成を示すブロック図である。
【図２】実施形態に係るコンテンツ毎のメタデータの一例を示す図である。
【図３】実施形態に係る満足度の算出方法を示す図である。
【図４】実施形態に係るコンテンツ視聴方法を示すシーケンス図である。
【図５】実施形態に係る連続再生プランの作成方法の第１の例を示す図である。
【図６】実施形態に係る連続再生プランの作成方法の第２の例を示す図である。
【発明を実施するための形態】
【００１４】
以下、本発明の実施形態の一例について説明する。
図１は、本実施形態に係るプラン作成装置１を含むシステム１００の構成を示すブロック図である。
プラン作成装置１は、ユーザ端末２からの要求に応じて、管理サーバ３で管理されているコンテンツ群から視聴時間に適したコンテンツの組み合わせを、連続再生プランとして作成し、ユーザに提示する。
【００１５】
なお、連続再生プランとして割り当てられるコンテンツは、放送コンテンツ及びＶＯＤコンテンツを含む。
ここで、放送コンテンツは、リアルタイムに配信され、再生時刻が固定されているコンテンツであり、放送電波により配信されるコンテンツの他、ネット同時配信と呼ばれる通信により配信されるコンテンツも含む。
また、ＶＯＤコンテンツは、視聴者の要求に応じて通信によりダウンロード又はストリーム配信され、再生時刻が固定されていないコンテンツである。
【００１６】
プラン作成装置１は、制御部１０及び記憶部２０、並びに入出力及び通信のインタフェース等を備えた情報処理装置（コンピュータ）である。
制御部１０は、プラン作成装置１の全体を制御するプロセッサであり、各種の記憶媒体により構成される記憶部２０に格納された所定のソフトウェア（プラン作成プログラム）を読み込み実行することにより、本実施形態の各種機能を実現する。
制御部１０は、コンテキスト受信部１１と、メタデータ取得部１２と、視聴時間分割部１３と、コンテンツ割当部１４とを備える。
【００１７】
コンテキスト受信部１１は、各ユーザが使用するユーザ端末２から、視聴開始時刻及び視聴終了時刻の指定を含むユーザコンテキストを受信する。
ユーザコンテキストは、ユーザの嗜好情報、及びユーザのプレゼンス情報を含んでもよい。嗜好情報は、例えば、ジャンル、出演者、画質、再生時間（尺）等の情報を含む。また、プレゼンス情報は、ユーザの視聴環境を示す情報であり、例えば、在宅、外出、歩行中、乗車中等の状況の他、端末解像度、処理性能等の仕様情報等を含む。
【００１８】
メタデータ取得部１２は、視聴開始時刻から視聴終了時刻までの間に視聴可能な放送コンテンツの放送時刻及びＶＯＤコンテンツの再生時間、並びに放送コンテンツ及びＶＯＤコンテンツを含む複数のコンテンツそれぞれのスコアを含むメタデータを取得する。
【００１９】
ここで、メタデータ取得部１２は、コンテンツ毎のメタデータを、管理サーバ３から受信するが、番組情報（ＵＲＬ、タイトル、尺、ジャンル等）を示すメタデータには、コンテンツの価値を示すスコアの初期値が予め付与されていてもよい。
メタデータ取得部１２は、コンテキスト受信部１１により取得したユーザコンテキストに基づいて、スコアを算出し、コンテンツのメタデータを更新する。
【００２０】
図２は、本実施形態に係るコンテンツ毎のメタデータの一例を示す図である。
各コンテンツは、それぞれ放送コンテンツ又はＶＯＤコンテンツのタイプに区分される。また、各コンテンツには、ユーザにとっての価値を示すスコアが付与され、指定された視聴時間内での再生時間（尺）と共に格納される。
さらに、メタデータには、各種の番組情報が含まれ、ユーザコンテキストと照合してユーザ毎のスコアが算出又は調整される。
【００２１】
視聴時間分割部１３は、チャンネル毎に存在する放送コンテンツの放送時刻の切れ目を境界にして、視聴開始時刻から視聴終了時刻までの視聴時間を、複数の時間枠に分割する。放送コンテンツの放送時刻の切れ目とは、例えば、番組の切り替わる時刻、又は同一番組内においてコーナーが切り替わる時刻等を示す。
視聴時間分割部１３は、視聴時間内の全放送コンテンツにおける切れ目の延べ数がｎの場合、ユーザの視聴時間をｎ＋１の時間枠に分割する。
【００２２】
コンテンツ割当部１４は、分割された複数の時間枠のそれぞれに対して複数のコンテンツのいずれかを割り当てた際に、スコア及び再生時間に基づく満足度の合計が上位所定数のコンテンツの組み合わせを、連続再生プランとして出力しユーザ端末２に提供する。
【００２３】
図３は、本実施形態に係る満足度の算出方法を示す図である。
スコアがそれぞれＳＡ、ＳＢ、ＳＣのコンテンツＡ、Ｂ、Ｃを、ユーザがそれぞれ時間ｄＡ、ｄＢ、ｄＣ視聴するとき、満足度Ｐは、例えば以下の式で定義される。
Ｐ＝Σ（スコアＳ×視聴時間ｄ）＝ＳＡ×ｄＡ＋ＳＢ×ｄＢ＋ＳＣ×ｄＣ
【００２４】
また、コンテンツ割当部１４は、満足度を、割り当てたコンテンツの数で重み付けし、例えば以下のように、コンテンツの数が多いほど大きくなるように、あるいはユーザの嗜好に応じて小さくなるように定義してもよい。
Ｐ＝Ａ・（ＳＡ×ｄＡ＋ＳＢ×ｄＢ＋ＳＣ×ｄＣ）
【００２５】
ここで、ユーザがコンテンツ視聴に使える時間をＴとすると、以下の条件式を満たす必要がある。
ｄＡ＋ｄＢ＋ｄＣ≦Ｔ
【００２６】
コンテンツ割当部１４は、分割された各時間枠にコンテンツを割り当てる際に、例えば、放送コンテンツ又はＶＯＤコンテンツから構成される全組み合わせについて満足度Ｐを算出し、上位の所定数を抽出してもよいし、組み合わせ問題を解く既知の汎用ソルバに条件式を代入して算出してもよい。
【００２７】
図４は、本実施形態に係るシステム１００を用いたコンテンツ視聴方法を示すシーケンス図である。
ステップＳ１において、コンテンツ配信者は、放送コンテンツ又はＶＯＤコンテンツのメタデータを、配信サーバ４を介して管理サーバ３に、又は直接管理サーバ３に登録する。
【００２８】
ステップＳ２において、ユーザは、隙間時間ができた際、ユーザ端末２からプラン作成装置１（コンテキスト受信部１１）に、視聴開始時刻及び終了時刻若しくは視聴時間、嗜好情報等のユーザコンテキストを登録する。
【００２９】
ステップＳ３において、プラン作成装置１（メタデータ取得部１２）は、管理サーバ３に対して、指定された視聴時間に再生可能なコンテンツ、すなわち視聴時間にライブ配信されている放送コンテンツと、視聴時間内に有効なＶＯＤコンテンツとを問い合わせる。
【００３０】
ステップＳ４において、管理サーバ３は、ステップＳ３の問い合わせに応答して、コンテンツのリストをプラン作成装置１（メタデータ取得部１２）に送信する。
【００３１】
ステップＳ５において、プラン作成装置１（メタデータ取得部１２）は、管理サーバ３から取得したリストに含まれる放送コンテンツ及びＶＯＤコンテンツのそれぞれについて、ユーザコンテキストに基づいて評価し、スコアを算出する。
【００３２】
ステップＳ６において、プラン作成装置１（視聴時間分割部１３）は、管理サーバ３から取得したリストに含まれる放送コンテンツの放送時間の切れ目を抽出し、指定された視聴時間を複数の時間枠に分割する。
【００３３】
ステップＳ７において、プラン作成装置１（コンテンツ割当部１４）は、所定のアルゴリズムに従って、分割された時間枠に対して複数のコンテンツを割り当て、満足度が上位となった複数の連続再生プランを作成する。
【００３４】
ステップＳ８において、プラン作成装置１は、作成した複数の連続再生プランを、要求元であるユーザ端末２へ送信する。
【００３５】
ステップＳ９において、ユーザ端末２は、取得した連続再生プランのいずれかを選択すると、このプランに含まれるコンテンツに対応するアプリケーションを順に起動する。
アプリケーションは、例えば、テレビ放送を受信し再生するアプリケーション、映像ストリームを受信し再生するアプリケーション、ラジオ放送を受信し再生するアプリケーション等を含む。
【００３６】
ステップＳ１０において、ユーザ端末２は、コンテンツ（例えば、ネット同時配信の放送コンテンツ、ＶＯＤコンテンツ等）を取得するために必要に応じて配信サーバ４へ要求する。
ステップＳ１１において、ユーザ端末２は、配信サーバ４からコンテンツを受信して再生する。
【００３７】
図５は、本実施形態に係る連続再生プランの作成方法の第１の例を示す図である。
この例は、放送コンテンツが１チャンネルのみで提供されている場合であり、ユーザは、７時４５分から８時２５分まで放送コンテンツ又はＶＯＤコンテンツを視聴する。
【００３８】
チャンネルＸでは、ユーザから指定された視聴時間に、８時００分までコンテンツＡが放送され、次に８時１５分までコンテンツＢが放送され、続いてコンテンツＣが放送されている。なお、コンテンツＡを視聴する場合は途中から、コンテンツＣを視聴する場合は途中までの提示となる。
また、放送コンテンツＡ、Ｂ、Ｃには、それぞれスコア９０、５０、７０が付与されている。
【００３９】
提供可能なＶＯＤコンテンツＤ、Ｅ、Ｆ、Ｇ、Ｈは、それぞれ任意の時刻に再生可能な独自の再生時間（尺）５分、１５分、５分、１０分、２０分を持つコンテンツであり、それぞれスコア７０、３０、５０、８０、４０が付与されている。
【００４０】
７時４５分から８時２５分までの視聴時間は、放送コンテンツの切れ目である８時００分及び８時１５分で分割され、３つの時間枠が設定される。
コンテンツ割当部１４は、これらの時間枠に、いずれかの放送コンテンツ又はＶＯＤコンテンツを割り当て、連続再生プランを作成する。
【００４１】
例えば、時間枠１及び時間枠３には、放送コンテンツＡ及びＣがそのまま割り当てられ、時間枠２には、放送コンテンツＢよりもスコアの高いＶＯＤコンテンツＤ及びＧが割り当てられる。これにより、満足度Ｐは、（９０×１５）＋（７０×５）＋（８０×１０）＋（７０×１０）＝３２００となる。
【００４２】
図６は、本実施形態に係る連続再生プランの作成方法の第２の例を示す図である。
この例は、放送コンテンツが複数チャンネルで提供されている場合であり、ユーザは、第１の例と同様に、７時４５分から８時２５分まで放送コンテンツ又はＶＯＤコンテンツを視聴する。
【００４３】
第１の例におけるチャンネルＸに加えて、チャンネルＹでは、ユーザから指定された視聴時間に、８時０５分までコンテンツＫが放送され、続いてコンテンツＬが放送されている。なお、コンテンツＫを視聴する場合は途中から、コンテンツＬを視聴する場合は途中までの提示となる。また、放送コンテンツＫ、Ｌには、それぞれスコア９５、６０が付与されている。
なお、提供可能なＶＯＤコンテンツＤ、Ｅ、Ｆ、Ｇ、Ｈは、第１の例と同様である。
【００４４】
７時４５分から８時２５分までの視聴時間は、放送コンテンツの切れ目である８時００分、８時０５分、及び８時１５分で分割され、４つの時間枠が設定される。
コンテンツ割当部１４は、これらの時間枠に、いずれかの放送コンテンツ又はＶＯＤコンテンツを割り当て、連続再生プランを作成する。
【００４５】
例えば、時間枠１及び時間枠２には、放送コンテンツＡ及びＶＯＤコンテンツの組み合わせよりもスコアの高い放送コンテンツＫが、時間枠４には、放送コンテンツＬよりもスコアの高い放送コンテンツＣが割り当てられる。さらに、時間枠３には、放送コンテンツＢよりもスコアの高いＶＯＤコンテンツＧが割り当てられる。これにより、満足度Ｐは、（９５×２０）＋（８０×１０）＋（７０×１０）＝３４００となる。
【００４６】
本実施形態によれば、プラン作成装置１は、放送コンテンツの放送時刻の切れ目を境界にして、指定された視聴時間を複数の時間枠に分割し、各時間枠に放送コンテンツ及びＶＯＤコンテンツを割り当てることにより、連続再生プランを作成する。このとき、プラン作成装置１は、各コンテンツに付与されたスコア及び再生時間に基づく満足度の合計が上位の連続再生プランを出力する。
したがって、プラン作成装置１は、ユーザが指定した限られた視聴時間内に楽しめる、適切な長さの放送コンテンツ及びＶＯＤコンテンツを組み合わせた連続再生プランを提示できる。
【００４７】
また、プラン作成装置１は、ユーザの嗜好情報をユーザコンテキストとして受信し、この嗜好情報に基づいてコンテンツ毎のスコアを算出する。
したがって、プラン作成装置１は、コンテンツ毎のスコアをユーザそれぞれに最適化でき、連続再生プランをユーザ毎に適切に評価できる。この結果、ユーザの満足度が向上する。
【００４８】
さらに、プラン作成装置１は、ユーザのプレゼンス情報をユーザコンテキストとして受信し、このプレゼンス情報に基づいてコンテンツ毎のスコアを算出する。
したがって、プラン作成装置１は、コンテンツ毎のスコアをユーザの視聴環境に対して最適化でき、連続再生プランをユーザ毎に適切に評価できる。この結果、例えば歩行中はラジオ、電車に乗っている場合は映像等、ユーザの視聴環境に適したプランが提供され、ユーザの満足度が向上する。
【００４９】
また、プラン作成装置１は、満足度を、割り当てたコンテンツの数で重み付けすることで、より多くのコンテンツを視聴したい、又は１つのコンテンツをより長く視聴したい等の、ユーザ好みに合わせた適切な連続再生プランを提供できる。
【００５０】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００５１】
スコア及び満足度の算出方法は、適宜変更が可能である。
例えば、放送コンテンツについて、途中から又は途中までの視聴の場合にスコアが低く調整されてもよい。また、ライブ配信を重視してＶＯＤコンテンツよりも放送コンテンツに重み付けがされてもよい。
【００５２】
本実施形態では、放送コンテンツ及びＶＯＤコンテンツが混在した連続再生プランを例示したが、放送コンテンツのみ又はＶＯＤコンテンツのみの連続再生プランが出力されてもよい。
また、複数の時間枠にわたってＶＯＤコンテンツが割り当てられた場合は、プラン作成装置１は、これらの時間枠を１つの時間枠に結合し、満足度の高いＶＯＤコンテンツの組み合わせを再度探索してもよい。
【００５３】
本実施形態では、主にプラン作成装置１の構成と動作について説明したが、本発明はこれに限られず、各構成要素を備え、連続再生プランを作成するための方法、又はプログラムとして構成されてもよい。
【００５４】
さらに、プラン作成装置１の機能を実現するためのプログラムをコンピュータで読み取り可能な記録媒体に記録して、この記録媒体に記録されたプログラムをコンピュータシステムに読み込ませ、実行することによって実現してもよい。
【００５５】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００５６】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００５７】
１  プラン作成装置
２  ユーザ端末
３  管理サーバ
４  配信サーバ
１０  制御部
１１  コンテキスト受信部
１２  メタデータ取得部
１３  視聴時間分割部
１４  コンテンツ割当部
２０  記憶部
１００  システム
【図１】
2019053667.tif 000003
【図２】
2019053667.tif 000004
【図３】
2019053667.tif 000005
【図４】
2019053667.tif 000006
【図５】
2019053667.tif 000007
【図６】
2019053667.tif 000008